(57)【特許請求の範囲】
【請求項１】
上下方向に設置された破風部材と、
この破風部材の上部に設けられた野地板と、
この野地板の上部に設けられた屋根仕上材と、
前記破風部材の外壁側に配置された軒樋と、
その上端側を前記野地板と前記屋根仕上材との間に配置され、その下端側を軒先に向けて突出させるとともに、前記軒樋に臨ませて配置された水切り部材と、
その基端側を前記野地板と前記水切り部材との間に挟持され、その中間部が前記野地板の先端部に係止され、その先端側を軒先に向けて突出させるとともに、前記水切り部材の下端に係合する係合部材とを具備し、
前記係合部材は、前記水切り部材の下端の位置を前記中間部と前記先端との間の複数位置で係合できるものであることを特徴とする軒先構造。
【発明の詳細な説明】
【技術分野】
【０００１】
本発明は、建物の屋根の軒先に用いられる軒先構造に関し、特に大量の雨水を軒樋に案内できるものに関する。
【背景技術】
【０００２】
例えば建物の屋根の軒先には、該軒先に沿って伸び、瓦のような屋根仕上材から流れ落ちる雨水を受けるための軒樋が取り付けられている。また、軒先には、屋根仕上材から軒樋に流れ落ちる雨水が野地板の上の屋根下地材の軒先端部に付着することを防止するための水切り部材が設けられている。水切り部材は、軒先に沿って伸びる板状をなし、該水切り部材は屋根仕上材及び野地板間から軒樋内に向けて野地板の軒先端部を覆うように垂れ下がっている。屋根仕上材から流れ落ちる雨水の一部が水切り部材により軒樋に向けて案内されるので、屋根仕上材から流れ落ちる雨水が野地板に付着することが防止される。これにより、雨水が野地板に付着することによる野地板の腐食を防止することができる。
【０００３】
一般的に、屋根材の種類や屋根施工の職人により屋根材の軒先の出寸法に違いがある。水切り部材は屋根施工時に軒先野地板に取り付ける。その後、樋吊金具を破風にビスで取り付ける。樋吊金具はなるべく上方に取り付けた方が雨水を受けやすい。しかしながら、ビス留め付け時に水切り部材と電池ドリルが干渉してしまうため、水切り部材より下位しか樋吊金具を取り付けられない。雨水が風等により飛散し、破風が汚れるのを防ぐためにはなるべく軒の出の長い水切り部材が良い。一方、軒の出の長い水切り部材は風にあおられるという問題がある。このため、水切り部材をＺ型にして強度を出したものが知られている（例えば、特許文献１参照）。
【特許文献１】特開２００２−１８８２５８号公報
【発明の開示】
【発明が解決しようとする課題】
【０００４】
上述した水切り部材では、次のような問題があった。すなわち、水切り部材をＺ型にしたものは、出隅・入隅等で水切り部材同士の合わせの加工が難しいという問題がある。
【０００５】
そこで本発明は、軒の出の長い水切り部材が風にあおられることなく、また、出隅・入隅等の合わせ加工が容易で、しかも軒先の出寸法に合わせて容易に調整することで、軒樋内に雨水を確実に案内することができる軒先構造を提供することを目的としている。
【課題を解決するための手段】
【０００６】
前記課題を解決し目的を達成するために、本発明の軒先構造は次のように構成されている。
【０００７】
上下方向に設置された破風部材と、この破風部材の上部に設けられた野地板と、この野地板の上部に設けられた屋根仕上材と、前記破風部材の外壁側に配置された軒樋と、その上端側を前記野地板と前記屋根仕上材との間に配置され、その下端側を軒先に向けて突出させるとともに、前記軒樋に臨ませて配置された水切り部材と、その基端側を前記野地板と前記水切り部材との間に挟持され、その中間部が前記野地板の先端部に係止され、その先端側を軒先に向けて突出させるとともに、前記水切り部材の下端に係合する係合部材とを具備し、前記係合部材は、前記水切り部材の下端の位置を前記中間部と前記先端との間の複数位置で係合できるものであることを特徴とする。
【発明の効果】
【０００８】
本発明によれば、軒の出の長い水切り部材が風にあおられることなく、また、出隅・入隅等の合わせ加工が容易で、しかも軒先の出寸法に合わせて容易に調整することで、軒樋内に雨水を確実に案内することが可能となる。
【発明を実施するための最良の形態】
【０００９】
図１は本発明の第１の実施の形態に係る水切り部材３０が適用された軒先構造１０を示す断面図、図２は水切り部材３０の一部を示す平面図、図３は水切り部材３０を示す断面図である。
【００１０】
軒先構造１０は、家屋の上部の傾斜面に設置された野地板１１と、この野地板１１の表面を被覆するアスファルトルーフィング等の防水層１２と、これらの上部に設けられた瓦や折板などの屋根仕上材１３と、家屋の破風部材１４とによって主に家屋側が構成されている。
【００１１】
野地板１１の軒先には、後述する軒樋２０を屋根先端部付近に設置させるための軒樋用吊り具５０が、屋根先端部の水平延設方向（図１の図面奥行き方向）に間隔を置いて複数取り付けられており、その軒樋用吊具５０に軒樋２０を取り付けて支持させる。
【００１２】
軒樋２０は、図１に示すように、断面凹状に形成された樋本体２１と、樋本体２１の前縁に形成された前縁係合部２２と、後縁に形成された後縁係合部２３とを備え、前縁係合部２２が軒樋用吊り具５０の前縁係止部５２ａ、後縁係合部２３が軒樋用吊り具５０の後縁係止部５２ｂを介して破風部材１４に支持されている。
【００１３】
野地板１１の先端からこの軒樋２０に向けてアルミ板、鋼板、樹脂材等によって形成された水切り材３０が、野地板１１の先端や破風部材１４の上部を覆うように配置されている。水切り部材３０は、雨水の跳ね返り及び舞い上がりを防止するとともに、外側からの美観を保持するための飾り部材としての機能も有する板材３１を有している。水切り部材３０の下端３２には折返部３２ａが形成され、後述する水切あおられ防止金具４０の先端部４３に係合されることで、下端３２のがたつきが防止されている。下端３２は、軒樋２０に臨ませて、すなわち、その下端３２が軒樋２０に対向する位置に形成されている。板材３１の上端３４はネジ等で野地板１１に固定されている。
【００１４】
水切あおられ防止金具（係合部材）４０は、図４，５に示すように、短冊状の板金製で、野地板１１に固定される基端部４１と、野地板１１の端部に係合する中間部４２と、軒先に沿って延びる先端部４３とが一体に形成されている。先端部４３と中間部４２との間には、水切り部材３０の下端３２の折返部３２ａを選択的に係止する係止部４４が形成されている。
【００１５】
軒樋用吊り具５０は、破風部材１４から離間する方向に延設されるとともに、軒樋２０の前縁係合部２２と後縁係合部２３とを係止可能な前縁係止部５２ａと後縁係止部５２ｂを有する支持アーム５１とを備えている。
【００１６】
このように構成された軒樋用吊り具５０を有する軒先構造１０では、降雨時には次のように雨水が軒樋２０に案内される。すなわち、野地板１１や屋根仕上材１３上に滴下した雨水は、軒先に集まり、水切り部材３０の上面に伝わる。そして、その一部は下端３２から軒樋２０内に案内される。水切り部材３０は、軒先の出寸法や軒樋２０に合わせて適正な位置に設けられている。すなわち、水切り部材３０に集められた雨水は、確実に軒樋２０内に案内されることとなる。
【００１７】
上述したように水切り部材３０を有する軒先構造１０では、水切り部材３０の下端３２を水切あおられ防止金具４０の係止部４４に適宜係止させることで、野地板１１の勾配・破風部材１４の仕様、水勾配、屋根材１３の軒の突出量等に対応して、各種の建物や各種形状の軒樋２０に対応させることができるとともに、風にあおられることがない。このため、雨水を水切り部材３０を介して確実に軒樋２０の中に案内できる。また、水切り部材３０が単純な板材で形成されているため、出隅・入隅等の合わせ加工が容易である。さらに、１種類の水切り部材３０で様々な構造の軒先に対応することができるので、低コストである。
【００１８】
図６，７は、上述した水切あおられ防止金具４０の変形例に係る水切あおられ防止金具４０Ａを示す側面図及び斜視図である。これらの図において図４，５と同一機能部分には同一符号を付し、その詳細な説明は省略する。本変形例に係る水切あおられ防止金具４０においては、係止部４５を折曲するだけの簡素な構造であるため、製造コストを低減することができる。
【００１９】
図８，９は、上述した水切あおられ防止金具４０の変形例に係る水切あおられ防止金具４０Ｂを示す側面図及び斜視図である。これらの図において図４，５と同一機能部分には同一符号を付し、その詳細な説明は省略する。本変形例に係る水切あおられ防止金具４０Ｂは、短冊状の板金製で、野地板１１に固定される基端部４１と、野地板１１の端部に係合する中間部４２と、軒先に沿って延びる延設部４６とが一体に形成されている。さらに延設部４６には、軒先に沿って延びる先端金具４７が蝶ネジ４８によってその軒先方向への延出量が調節自在に取り付けられている。なお、先端金具４７には、調節用の長孔４７ａが設けられている。また、先端金具４７の軒先側の先端には、水切り部材３０の下端３２の折返部３２ａを係止する係止部４７ｂが形成されている。
【００２０】
このように構成されていると、水切り部材３０の下端３２の位置を野地板１１の勾配・破風部材１４の仕様、水勾配、屋根材１３の軒の突出量等に対応して最適位置に決めた後、蝶ネジ４８を緩めて先端金具４７の延出量を決め、水切あおられ防止金具４０Ｂの係止部４７ｂに下端３２に適宜係止させた上で固定することができる。このため、より柔軟に各種の軒先構造に適用することができる。
【００２１】
なお、本発明は前記実施の形態に限定されるものではなく、本発明の要旨を逸脱しない範囲で種々変形実施可能であるのは勿論である。
【図面の簡単な説明】
【００２２】
【図１】本発明の第１の実施の形態に係る軒先構造を示す断面図。
【図２】同軒先構造に組み込まれた水切り部材の一部を示す平面図。
【図３】同水切り部材を示す断面図。
【図４】同軒先構造に組み込まれた水切あおられ防止金具を示す側面図。
【図５】同水切あおられ防止金具を示す斜視図。
【図６】同軒先構造に組み込まれた水切あおられ防止金具の変形例を示す断面図。
【図７】同水切あおられ防止金具を示す斜視図。
【図８】同軒先構造に組み込まれた水切あおられ防止金具の変形例を示す断面図。
【図９】同水切あおられ防止金具を示す斜視図。
【符号の説明】
【００２３】
１０…軒先構造、１１…野地板、１３…屋根仕上材、１４…破風部材、２０…軒樋、３０…水切り部材、３１…板材、４０…水切あおられ防止金具（係合部材）、５０…軒樋用吊り具。
【図１】
0005103581.tif 000002
【図２】
0005103581.tif 000003
【図３】
0005103581.tif 000004
【図４】
0005103581.tif 000005
【図５】
0005103581.tif 000006
【図６】
0005103581.tif 000007
【図７】
0005103581.tif 000008
【図８】
0005103581.tif 000009
【図９】
0005103581.tif 000010